【手続補正書】
【提出日】平成19年6月1日(2007.6.1)
【手続補正１】
【補正対象書類名】明細書
【補正対象項目名】特許請求の範囲
【補正方法】変更
【補正の内容】
【特許請求の範囲】
【請求項１】  撮像装置及び表示装置を備え、映像信号を入力して画像を表示するビデオ会議用撮像／表示装置であって、
前記表示装置の表示画面範囲の外側で且つ該表示画面の左右両側或いは何れか一方の側に、前記撮像装置を配置してなることを特徴とするビデオ会議用撮像／表示装置。
【請求項２】  前記撮像装置はビデオカメラであり、前記撮像装置の高さを、前記表示装置の表示画面の下辺から上辺までの高さの間に設定したことを特徴とする請求項１記載のビデオ会議用撮像／表示装置。
【請求項３】  前記表示装置の前記表示画面に向かって左側に配置された第１の撮像装置の光軸の左右方向の角度を、同一水平面上における角度に関して、前記表示画面の底辺に平行な該表示画面の左右の両端を直線で結ぶ線Ｘ−Ｘ’に対して該表示画面手前に垂直にＺ軸を想定した場合、該Ｚ軸を基準として右に４５度の角度を中心に正負４０度の範囲に設定したことを特徴とする請求項１又は２記載のビデオ会議用撮像／表示装置。
【請求項４】  前記表示装置の前記表示画面に向かって右側に配置された第２の撮像装置の光軸の左右方向の角度を、同一水平面上における角度に関して、前記表示画面の底辺に平行な該表示画面の左右の両端を直線で結ぶ線Ｘ−Ｘ’に対して該表示画面手前に垂直にＺ軸を想定した場合、該Ｚ軸を基準として左に４５度の角度を中心に正負４０度の範囲に設定したことを特徴とする請求項１乃至３の何れかに記載のビデオ会議用撮像／表示装置。
【請求項５】  前記撮像装置の高さを可変とする高さ可変手段、前記撮像装置のチルト設定を可変とするチルト手段、前記撮像装置のパンニングを可能とするパンニング手段の何れかを具備或いは同時に具備したことを特徴とする請求項１乃至４の何れかに記載のビデオ会議用撮像／表示装置。
【請求項６】  前記表示装置の前記表示画面に向かって左側に配置された第１の撮像装置及び前記表示装置の前記表示画面に向かって右側に配置された第２の撮像装置の出力映像信号を１つの画面として合成する画像合成手段を具備し、該画像合成手段は、画角設定手段と、画面位置設定手段とを備えることを特徴とする請求項１に記載のビデオ会議用撮像／表示装置。
【請求項７】  外部からの画像信号を入力する画像信号入力手段と、前記第１及び第２の撮像装置の出力映像信号と前記画像信号入力手段に入力された画像信号を１つの画面として合成する画像合成手段とを具備し、該画像合成手段は、画角設定手段と、画面位置設定手段とを備えることを特徴とする請求項６に記載のビデオ会議用撮像／表示装置。
【請求項８】  撮像装置及び表示装置を備え映像信号を入力して画像を表示するビデオ会議用撮像／表示装置を備えたビデオ会議用撮像／表示システムであって、
前記ビデオ会議用撮像／表示装置を構成する前記表示装置の表示画面範囲の外側で且つ該表示画面の左右両側或いは何れか一方の側に、前記ビデオ会議用撮像／表示装置を構成する前記撮像装置を配置してなることを特徴とするビデオ会議用撮像／表示システム。
【請求項９】  撮像装置及び表示装置を備え、映像信号を入力して画像を表示するビデオ会議用撮像／表示装置に適用される画像処理方法であって、
前記表示装置の表示画面範囲の外側で且つ該表示画面の左右両側或いは何れか一方の側に配置された第１及び第２の撮像装置の出力映像信号を１つの画面として合成する画像合成工程を有し、該画像合成工程は、画角設定工程と、画面位置設定工程とを有することを特徴とする画像処理方法。
【請求項１０】  撮像装置及び表示装置を備え、映像信号を入力して画像を表示するビデオ会議用撮像／表示装置に適用される画像処理方法であって、
外部からの画像信号を入力する画像信号入力工程と、前記表示装置の表示画面範囲の外側で且つ該表示画面の左右両側或いは何れか一方の側に配置された第１及び第２の撮像装置の出力映像信号と前記画像信号入力工程で入力された画像信号を１つの画面として合成する画像合成工程とを有し、該画像合成工程は、画角設定工程と、画面位置設定工程とを有することを特徴とする画像処理方法。
【請求項１１】  撮像装置及び表示装置を備え、映像信号を入力して画像を表示するビデオ会議用撮像／表示装置に適用される画像処理方法を実行するプログラムを記憶したコンピュータにより読み出し可能な記憶媒体であって、
前記画像処理方法は、前記表示装置の表示画面範囲の外側で且つ該表示画面の左右両側或いは何れか一方の側に配置された第１及び第２の撮像装置の出力映像信号を１つの画面として合成するように制御すると共に、画角設定ステップ及び画面位置設定ステップからなる画像合成ステップを有することを特徴とする記憶媒体。
【手続補正２】
【補正対象書類名】明細書
【補正対象項目名】００１７
【補正方法】削除
【補正の内容】
【手続補正３】
【補正対象書類名】明細書
【補正対象項目名】００１８
【補正方法】削除
【補正の内容】
【手続補正４】
【補正対象書類名】明細書
【補正対象項目名】００１９
【補正方法】削除
【補正の内容】
【手続補正５】
【補正対象書類名】明細書
【補正対象項目名】００２０
【補正方法】変更
【補正の内容】
【００２０】
上記目的を達成するため、請求項６記載の発明は、前記表示装置の前記表示画面に向かって左側に配置された第１の撮像装置及び前記表示装置の前記表示画面に向かって右側に配置された第２の撮像装置の出力映像信号を１つの画面として合成する画像合成手段を具備し、該画像合成手段は、画角設定手段と、画面位置設定手段とを備えることを特徴とする。
【手続補正６】
【補正対象書類名】明細書
【補正対象項目名】００２１
【補正方法】変更
【補正の内容】
【００２１】
上記目的を達成するため、請求項７記載の発明は、外部からの画像信号を入力する画像信号入力手段と、前記第１及び第２の撮像装置の出力映像信号と前記画像信号入力手段に入力された画像信号を１つの画面として合成する画像合成手段とを具備し、該画像合成手段は、画角設定手段と、画面位置設定手段とを備えることを特徴とする。
【手続補正７】
【補正対象書類名】明細書
【補正対象項目名】００２２
【補正方法】削除
【補正の内容】
【手続補正８】
【補正対象書類名】明細書
【補正対象項目名】００２３
【補正方法】削除
【補正の内容】
【手続補正９】
【補正対象書類名】明細書
【補正対象項目名】００２４
【補正方法】削除
【補正の内容】
【手続補正１０】
【補正対象書類名】明細書
【補正対象項目名】００２５
【補正方法】削除
【補正の内容】
【手続補正１１】
【補正対象書類名】明細書
【補正対象項目名】００２６
【補正方法】削除
【補正の内容】
【手続補正１２】
【補正対象書類名】明細書
【補正対象項目名】００２７
【補正方法】削除
【補正の内容】
【手続補正１３】
【補正対象書類名】明細書
【補正対象項目名】００２８
【補正方法】削除
【補正の内容】
【手続補正１４】
【補正対象書類名】明細書
【補正対象項目名】００２９
【補正方法】削除
【補正の内容】
【手続補正１５】
【補正対象書類名】明細書
【補正対象項目名】００３０
【補正方法】削除
【補正の内容】
【手続補正１６】
【補正対象書類名】明細書
【補正対象項目名】００３１
【補正方法】削除
【補正の内容】
【手続補正１７】
【補正対象書類名】明細書
【補正対象項目名】００３２
【補正方法】削除
【補正の内容】
【手続補正１８】
【補正対象書類名】明細書
【補正対象項目名】００３３
【補正方法】削除
【補正の内容】
【手続補正１９】
【補正対象書類名】明細書
【補正対象項目名】００３４
【補正方法】変更
【補正の内容】
【００３４】
上記目的を達成するため、請求項８記載の発明は、撮像装置及び表示装置を備え映像信号を入力して画像を表示するビデオ会議用撮像／表示装置を備えたビデオ会議用撮像／表示システムであって、前記ビデオ会議用撮像／表示装置を構成する前記表示装置の表示画面範囲の外側で且つ該表示画面の左右両側或いは何れか一方の側に、前記ビデオ会議用撮像／表示装置を構成する前記撮像装置を配置してなることを特徴とする。
【手続補正２０】
【補正対象書類名】明細書
【補正対象項目名】００３５
【補正方法】削除
【補正の内容】
【手続補正２１】
【補正対象書類名】明細書
【補正対象項目名】００３６
【補正方法】削除
【補正の内容】
【手続補正２２】
【補正対象書類名】明細書
【補正対象項目名】００３７
【補正方法】削除
【補正の内容】
【手続補正２３】
【補正対象書類名】明細書
【補正対象項目名】００３８
【補正方法】削除
【補正の内容】
【手続補正２４】
【補正対象書類名】明細書
【補正対象項目名】００３９
【補正方法】削除
【補正の内容】
【手続補正２５】
【補正対象書類名】明細書
【補正対象項目名】００４０
【補正方法】削除
【補正の内容】
【手続補正２６】
【補正対象書類名】明細書
【補正対象項目名】００４１
【補正方法】削除
【補正の内容】
【手続補正２７】
【補正対象書類名】明細書
【補正対象項目名】００４２
【補正方法】削除
【補正の内容】
【手続補正２８】
【補正対象書類名】明細書
【補正対象項目名】００４３
【補正方法】削除
【補正の内容】
【手続補正２９】
【補正対象書類名】明細書
【補正対象項目名】００４４
【補正方法】削除
【補正の内容】
【手続補正３０】
【補正対象書類名】明細書
【補正対象項目名】００４５
【補正方法】削除
【補正の内容】
【手続補正３１】
【補正対象書類名】明細書
【補正対象項目名】００４６
【補正方法】削除
【補正の内容】
【手続補正３２】
【補正対象書類名】明細書
【補正対象項目名】００４７
【補正方法】削除
【補正の内容】
【手続補正３３】
【補正対象書類名】明細書
【補正対象項目名】００４８
【補正方法】削除
【補正の内容】
【手続補正３４】
【補正対象書類名】明細書
【補正対象項目名】００４９
【補正方法】削除
【補正の内容】
【手続補正３５】
【補正対象書類名】明細書
【補正対象項目名】００５０
【補正方法】削除
【補正の内容】
【手続補正３６】
【補正対象書類名】明細書
【補正対象項目名】００５１
【補正方法】削除
【補正の内容】
【手続補正３７】
【補正対象書類名】明細書
【補正対象項目名】００５２
【補正方法】削除
【補正の内容】
【手続補正３８】
【補正対象書類名】明細書
【補正対象項目名】００５３
【補正方法】削除
【補正の内容】
【手続補正３９】
【補正対象書類名】明細書
【補正対象項目名】００５４
【補正方法】削除
【補正の内容】
【手続補正４０】
【補正対象書類名】明細書
【補正対象項目名】００５５
【補正方法】削除
【補正の内容】
【手続補正４１】
【補正対象書類名】明細書
【補正対象項目名】００５６
【補正方法】削除
【補正の内容】
【手続補正４２】
【補正対象書類名】明細書
【補正対象項目名】００５７
【補正方法】変更
【補正の内容】
【００５７】
上記目的を達成するため、請求項９記載の発明は、撮像装置及び表示装置を備え、映像信号を入力して画像を表示するビデオ会議用撮像／表示装置に適用される画像処理方法であって、前記表示装置の表示画面範囲の外側で且つ該表示画面の左右両側或いは何れか一方の側に配置された第１及び第２の撮像装置の出力映像信号を１つの画面として合成する画像合成工程を有し、該画像合成工程は、画角設定工程と、画面位置設定工程とを有することを特徴とする。
【手続補正４３】
【補正対象書類名】明細書
【補正対象項目名】００５８
【補正方法】変更
【補正の内容】
【００５８】
上記目的を達成するため、請求項１０記載の発明は、撮像装置及び表示装置を備え、映像信号を入力して画像を表示するビデオ会議用撮像／表示装置に適用される画像処理方法であって、外部からの画像信号を入力する画像信号入力工程と、前記表示装置の表示画面範囲の外側で且つ該表示画面の左右両側或いは何れか一方の側に配置された第１及び第２の撮像装置の出力映像信号と前記画像信号入力工程で入力された画像信号を１つの画面として合成する画像合成工程とを有し、該画像合成工程は、画角設定工程と、画面位置設定工程とを有することを特徴とする。
【手続補正４４】
【補正対象書類名】明細書
【補正対象項目名】００５９
【補正方法】削除
【補正の内容】
【手続補正４５】
【補正対象書類名】明細書
【補正対象項目名】００６０
【補正方法】削除
【補正の内容】
【手続補正４６】
【補正対象書類名】明細書
【補正対象項目名】００６１
【補正方法】削除
【補正の内容】
【手続補正４７】
【補正対象書類名】明細書
【補正対象項目名】００６２
【補正方法】削除
【補正の内容】
【手続補正４８】
【補正対象書類名】明細書
【補正対象項目名】００６３
【補正方法】削除
【補正の内容】
【手続補正４９】
【補正対象書類名】明細書
【補正対象項目名】００６４
【補正方法】削除
【補正の内容】
【手続補正５０】
【補正対象書類名】明細書
【補正対象項目名】００６５
【補正方法】削除
【補正の内容】
【手続補正５１】
【補正対象書類名】明細書
【補正対象項目名】００６６
【補正方法】削除
【補正の内容】
【手続補正５２】
【補正対象書類名】明細書
【補正対象項目名】００６７
【補正方法】変更
【補正の内容】
【００６７】
上記目的を達成するため、請求項１１記載の発明は、撮像装置及び表示装置を備え、映像信号を入力して画像を表示するビデオ会議用撮像／表示装置に適用される画像処理方法を実行するプログラムを記憶したコンピュータにより読み出し可能な記憶媒体であって、前記画像処理方法は、前記表示装置の表示画面範囲の外側で且つ該表示画面の左右両側或いは何れか一方の側に配置された第１及び第２の撮像装置の出力映像信号を１つの画面として合成するように制御すると共に、画角設定ステップ及び画面位置設定ステップからなる画像合成ステップを有することを特徴とする。
【手続補正５３】
【補正対象書類名】明細書
【補正対象項目名】００６８
【補正方法】削除
【補正の内容】
【手続補正５４】
【補正対象書類名】明細書
【補正対象項目名】００６９
【補正方法】削除
【補正の内容】
【手続補正５５】
【補正対象書類名】明細書
【補正対象項目名】００７０
【補正方法】削除
【補正の内容】
【手続補正５６】
【補正対象書類名】明細書
【補正対象項目名】００７１
【補正方法】削除
【補正の内容】
【手続補正５７】
【補正対象書類名】明細書
【補正対象項目名】００７２
【補正方法】削除
【補正の内容】
【手続補正５８】
【補正対象書類名】明細書
【補正対象項目名】００７３
【補正方法】削除
【補正の内容】
【手続補正５９】
【補正対象書類名】明細書
【補正対象項目名】００７４
【補正方法】削除
【補正の内容】
【手続補正６０】
【補正対象書類名】明細書
【補正対象項目名】００７５
【補正方法】削除
【補正の内容】
【手続補正６１】
【補正対象書類名】明細書
【補正対象項目名】００７６
【補正方法】削除
【補正の内容】
【手続補正６２】
【補正対象書類名】明細書
【補正対象項目名】００７７
【補正方法】削除
【補正の内容】
【手続補正６３】
【補正対象書類名】明細書
【補正対象項目名】００７８
【補正方法】削除
【補正の内容】
【手続補正６４】
【補正対象書類名】明細書
【補正対象項目名】００７９
【補正方法】削除
【補正の内容】
【手続補正６５】
【補正対象書類名】明細書
【補正対象項目名】００８０
【補正方法】削除
【補正の内容】
【手続補正６６】
【補正対象書類名】明細書
【補正対象項目名】００９１
【補正方法】変更
【補正の内容】
【００９１】
尚、本発明の特許請求の範囲と本発明の各実施形態との対応関係は下記の通りである。第１の撮像装置は第１のビデオカメラ３に対応し、第２の撮像装置は第２のビデオカメラ４に対応し、表示装置はディスプレイ２に対応し、画像合成手段は画像合成部１０に対応し、画像信号入力手段は映像信号入力端子２０１に対応する。
【手続補正６７】
【補正対象書類名】明細書
【補正対象項目名】０２０８
【補正方法】変更
【補正の内容】
【０２０８】
【発明の効果】
以上説明したように、本発明によれば、会議用ディスプレイの両側にそれぞれ所定の角度の光軸を持つ２つのビデオカメラを具備し、ビデオカメラの２つの画像を画像合成手段により合成してから伝送するか、或いはビデオカメラの２つの画像を伝送してから画像合成し、会議用ディスプレイに向かって右のカメラの映像を表示画像の右に、左のカメラの映像を表示画像の左に表示することにより、即ち、ビデオ会議で用いる特に大型ディスプレイにおいて会議を行う場合、多くの出席者の顔の表情を良好に撮影、伝送、表示が可能なように構成することで、遠隔地の会議出席者が自然に向かい合うイメージで会議ディスプレイに画像を表示可能となり、効果的なビデオ会議が可能となるという効果を奏する。
【手続補正６８】
【補正対象書類名】明細書
【補正対象項目名】０２０９
【補正方法】削除
【補正の内容】
【手続補正６９】
【補正対象書類名】明細書
【補正対象項目名】０２１０
【補正方法】削除
【補正の内容】
【手続補正７０】
【補正対象書類名】明細書
【補正対象項目名】０２１１
【補正方法】削除
【補正の内容】
【手続補正７１】
【補正対象書類名】明細書
【補正対象項目名】０２１２
【補正方法】削除
【補正の内容】